(57)【特許請求の範囲】
【請求項１】
手の平を撮像して得られた手の平画像データから診断領域を特定すると共に、前記診断領域に含まれる手相線データを特定する手相線特定手段と、
前記手相線データに基づいて前記診断領域を分割することにより複数の分割領域を形成する分割領域形成手段と、
複数の前記分割領域の少なくとも一部を、予め登録された手の平画像データにおける前記分割領域と個別に照合することにより、手相の変化が生じた前記分割領域を変化領域と判定する変化領域判定手段と、
前記変化領域に基づく診断データを抽出する診断データ抽出手段と、
前記診断データを出力する出力手段とを備える手相診断装置。
【請求項２】
前記変化領域判定手段は、前記変化領域において手相の変化を生じさせたマークの色を検出し、
前記診断データ抽出手段は、前記変化領域および前記マークの色に基づき診断データを抽出する請求項１に記載の手相診断装置。
【請求項３】
手の平を撮像して得られた手の平画像データから診断領域を特定すると共に、前記診断領域に含まれる手相線データを特定する手相線特定ステップと、
前記手相線データに基づいて前記診断領域を分割することにより複数の分割領域を形成する分割領域形成ステップと、
複数の前記分割領域の少なくとも一部を、予め登録された手の平画像データにおける前記分割領域と個別に照合することにより、手相の変化が生じた前記分割領域を変化領域と判定する変化領域判定ステップと、
前記変化領域に基づく診断データを抽出する診断データ抽出ステップと、
前記診断データを出力する出力ステップとをコンピュータに実行させる手相診断プログラム。
【発明の詳細な説明】
【技術分野】
【０００１】
本発明は、撮像した手の平の画像データに基づいて手相診断を行う手相診断装置およびプログラムに関する。
【背景技術】
【０００２】
手相診断を行うことができる従来の装置として、例えば特許文献１には、カメラ機能を有する通信端末から送信された手の平の画像データから複数の特徴線を抽出し、これらの特徴線から目標特徴線を特定する装置が開示されている。この目標特徴線特定装置は、掌線を目標特徴線として特定することにより、予め手相占いデータベースに格納した掌線データと比較して、手相占い結果を得ることができる。
【先行技術文献】
【特許文献】
【０００３】
【特許文献１】特開２０１０−１２３０２０号公報
【発明の概要】
【発明が解決しようとする課題】
【０００４】
ところで、手相は時間の経過と共に変化することが知られており、この変化を利用した手相診断も従来から行われている。ところが、上記特許文献１のように目標特定線を特定して手相診断を行う従来の方法では、新旧の画像データにおける手相の細かい変化を判別し難いために有用な情報を抽出することができず、的確な診断が困難であった。画像データの照合方法としては、パターンマッチング法等も知られているが、手の平全体を対象としてマッチングを行うためには膨大なデータが必要になるだけでなく、変化が生じた箇所を特定し難いという問題があった。
【０００５】
そこで、本発明は、手相の変化に基づく診断を容易且つ的確に行うことができる手相診断装置およびプログラムの提供を目的とする。
【課題を解決するための手段】
【０００６】
本発明の前記目的は、手の平を撮像して得られた手の平画像データから診断領域を特定すると共に、前記診断領域に含まれる手相線データを特定する手相線特定手段と、前記手相線データに基づいて前記診断領域を分割することにより複数の分割領域を形成する分割領域形成手段と、複数の前記分割領域の少なくとも一部を、予め登録された手の平画像データにおける前記分割領域と個別に照合することにより、手相の変化が生じた前記分割領域を変化領域と判定する変化領域判定手段と、前記変化領域に基づく診断データを抽出する診断データ抽出手段と、前記診断データを出力する出力手段とを備える手相診断装置により達成される。
【０００７】
この手相診断装置において、前記変化領域判定手段は、前記変化領域において手相の変化を生じさせたマークの色を検出し、前記診断データ抽出手段は、前記変化領域および前記マークの色に基づき診断データを抽出するように構成することが好ましい。
【０００８】
また、本発明の前記目的は、手の平を撮像して得られた手の平画像データから診断領域を特定すると共に、前記診断領域に含まれる手相線データを特定する手相線特定ステップと、前記手相線データに基づいて前記診断領域を分割することにより複数の分割領域を形成する分割領域形成ステップと、複数の前記分割領域の少なくとも一部を、予め登録された手の平画像データにおける前記分割領域と個別に照合することにより、手相の変化が生じた前記分割領域を変化領域と判定する変化領域判定ステップと、前記変化領域に基づく診断データを抽出する診断データ抽出ステップと、前記診断データを出力する出力ステップとをコンピュータに実行させる手相診断プログラムにより達成される。
【発明の効果】
【０００９】
本発明によれば、手相の変化に基づく診断を容易且つ的確に行うことができる手相診断装置およびプログラムを提供することができる。
【図面の簡単な説明】
【００１０】
【図１】本発明の一実施形態に係る手相診断装置の概略構成を示すブロック図である。
【図２】図１に示す手相診断装置の作動を説明するためのフローチャートである。
【図３】新旧の手の平画像データを画像処理した一例を示す図である。
【図４】図３の診断領域を分割して示す図である。
【発明を実施するための形態】
【００１１】
以下、本発明の実施の形態について、添付図面を参照して説明する。図１は、本発明の一実施形態に係る手相診断装置の概略構成を示すブロック図である。図１に示すように、手相診断装置１は、インターネット等のネットワーク２を介して、ユーザ端末４に接続されている。ユーザ端末４は、カメラ機能を有する携帯電話や携帯情報端末を例示することができ、撮像した画像データをウエブブラウザにより手相診断装置１に送信することができる。ユーザ端末４は、携帯可能な端末以外に、例えば、スキャニングやダウンロード等により画像データをメモリに取り込んだパーソナルコンピュータであってもよい。
【００１２】
手相診断装置１は、ユーザ端末４から受信した画像データに基づいて手相診断を行うための手相線特定部１１、分割領域形成部１２、変化領域判定部１３、診断データ抽出手段１４および出力部１５を備えている。ユーザ端末４から受信した画像データは、ユーザ情報や撮像日情報等と共に記憶部（図示せず）に格納される。記憶部には、画像データの他に、後述するように手相の変化を生じた領域に対応する診断データが予め格納されている。本実施形態の手相診断装置１は、単一のサーバにより構成しているが、機能を分割した複数のサーバにより構成してもよい。
【００１３】
次に、上述した手相診断装置１の作動を、図２に示すフローチャートを参照しながら説明する。手相診断装置１には、利用者が過去に撮像した手の平の画像データが予め格納されており、利用者端末４から手相診断装置１に新たな手の平画像データが送信されることで、新旧の手の平画像データにおける手相の変化から手相の診断を行うことができる。
【００１４】
手相診断装置１が手の平画像データを受信すると、手相線特定部１１は、利用者端末４から送信された手の平画像データから診断領域を特定すると共に、この診断領域に含まれる手相線データを特定する（ステップＳ１）。診断領域は、例えば図３（ａ）に示すように、手の平を含む画像データＰ１に対して２値化処理など公知の手法により手の輪郭線を抽出し、図４（ａ）に示すように各指間部Ｂ１〜Ｂ４を特定して指と手の平との境界線を引くことにより、この境界線と手の平の輪郭線により囲まれる領域Ｄ１として特定することができる。診断領域は、手の平以外に指を含んでいてもよく、或いは、手の平の特定部分のみであってもよい。
【００１５】
診断領域Ｄ１に含まれる手相線データの特定も、公知の手法により行うことが可能であり、細かいしわを除外できるように閾値を適宜調整することにより、主要な手相線のみを抽出することができる。例えば、図３（ａ）に示す２値化処理後の画像データＰ１においては、４つの手相線データＬ１〜Ｌ４が特定される。
【００１６】
次に、分割領域形成部１２は、特定された手相線データに基づいて診断領域を分割し、分割領域を形成する（ステップＳ２）。手相線の両端部がそれぞれ診断領域Ｄ１の外縁や他の手相線と交差或いは接する場合には、これによって診断領域Ｄが自ずと分割される一方、手相線の端部が診断領域Ｄ１の外縁や他の手相線と離隔している場合には、当該端部を診断領域Ｄ１の外縁まで延長することで、診断領域Ｄを各手相線により分割することができる。図４（ａ）においては、４つの手相線データＬ１〜Ｌ４のうち手相線データＬ２の一方端部が手の平の輪郭線まで延長されており、これら手相線データＬ１〜Ｌ４によって７つの分割領域Ａ１１〜Ａ１７が形成される。手相線を延長する方法は、手相線の端部を外挿する方法や、診断領域の所定位置と結ぶ方法など、再現性を有するものであれば特に限定されない。
【００１７】
ついで、変化領域判定部１３は、各分割領域を、予め登録されている画像データの各分割領域と個別に照合する（ステップＳ３）。例えば、図３（ａ）に示す手の平画像データＰ１が予め登録された過去の画像データであり、図３（ｂ）に示す手の平画像データＰ２が利用者端末４から送信された新たな画像データである場合、図４（ａ）および（ｂ）に示す分割領域Ａ１１〜Ａ１７毎に、手相変化の有無を判定する。手相は、手の平の表面に現れた細かい掌線や斑点などの模様からなるマークが該当し、局部的な色の変化によって生じるものも含まれる。手相の照合は、パターンマッチング法など公知の方法で行うことが可能であり、或いは、新旧の画像データを予め作成したテンプレートと比較して行うことも可能である。また、分割領域Ａ１１〜Ａ１７毎の色成分を所定の階調で抽出し、各色の面積比を求める等して、斑点等のマークの有無だけでなく、マークの色も検出するようにしてもよい。
【００１８】
変化領域判定部１３は、照合の結果、手相の変化が生じた分割領域が存在するか否かを判定する（ステップＳ４）。図３（ａ）および（ｂ）の比較では、新たな手の平画像データＰ２に斑点Ｓが生じていることから、図４（ａ）および（ｂ）に示す各分割領域Ａ１１〜Ａ１７の照合によって、手相の変化が生じた分割領域Ａ１１が変化領域と判定される。手相の変化が生じた分割領域が複数存在する場合には、全てを変化領域として抽出してもよく、或いは、優先順位に沿って特定の分割領域のみを抽出してもよい。
【００１９】
この後、診断データ抽出手段１４は、予め格納されている診断データから、変化領域判定部１３により判定された変化領域Ａ１１に対応するものを抽出する（ステップＳ５）。診断データは、各分割領域と個別に関連付けられてテーブルの形で格納されており、いずれかの分割領域を選択することで、この分割領域に対応する運勢や健康状態等の診断データが抽出される。例えば、図４（ｂ）に示すように、分割領域Ａ１１が変化領域である場合には、肝臓に要注意である旨の診断データが抽出される。変化領域判定部１３がマークの色検出を行っている場合には、診断データを複数の色に対応させて格納しておくことで、色の違いで相違する診断データを抽出することができ、高度な手相診断を行うことができる。
【００２０】
出力部１５は、抽出された診断データを利用者端末４に出力する（ステップＳ６）。こうして、利用者は手相の変化に基づく診断結果を確認することができる。利用者端末４への出力データは、診断データの他に、例えば図４（ａ）および（ｂ）に示す画像データを含めることにより、利用者が手相の変化を生じた箇所を視覚的にも把握できるように構成してもよい。なお、上記のステップＳ４において手相の変化が生じた分割領域が存在しないと判定された場合には、その旨が診断データとして出力される。
【００２１】
本発明の手相診断装置によれば、手の平画像データから特定した診断領域を手相線データに基づいて分割することにより複数の分割領域を形成し、分割領域を個別に照合して変化領域を判定するように構成しているので、感情線、生命線、頭脳線のように形状の変化が生じ難い主要な掌線を手相線データとすることができ、分割領域形状の経時変化を抑制しつつ、変化が生じた分割領域を正確に判定することができる。したがって、手相の変化が生じた箇所を容易に把握することができ、これに基づく的確な診断結果を得ることができる。
【００２２】
本実施形態においては、手相線データＬ１〜Ｌ４に基づいて形成された分割領域Ａ１１〜Ａ１７の全てを照合するように構成しているが、例えば、過去に手相変化が生じた箇所の経過確認や特定の診断目的等のために、分割領域の一部のみを選択して照合できるように構成してもよく、これによって診断結果を迅速に得ることができる。また、分割領域毎に閾値等の判定基準が異なるように構成してもよい。
【００２３】
本実施形態の手相診断装置１は、ユーザ端末４からネットワーク２を介してアクセス可能に構成しているが、スタンドアローン型であってもよい。また、上述した手相診断装置１の処理を実行するためのプログラムを記録媒体やサーバに格納しておき、コンピュータに取り込んで実行させるようにしてもよい。
【００２４】
また、本実施形態では、人間の手相診断を行う場合を説明しているが、犬や猫などの動物の手の平（肉球）を撮像した画像データに基づいて、手相診断を行うことも可能である。
【符号の説明】
【００２５】
１  手相診断装置
１１  手相線特定部
１２  分割領域形成部
１３  変化領域判定部
１４  診断データ抽出部
１５  出力部
【要約】
【課題】  手相の変化に基づく診断を容易且つ的確に行うことができる手相診断装置を提供する。
【解決手段】  手の平を撮像して得られた手の平画像データから診断領域を特定すると共に、前記診断領域に含まれる手相線データを特定する手相線特定手段と、前記手相線データに基づいて前記診断領域を分割することにより複数の分割領域を形成する分割領域形成手段と、複数の前記分割領域の少なくとも一部を、予め登録された手の平画像データにおける前記分割領域と個別に照合することにより、手相の変化が生じた前記分割領域を変化領域と判定する変化領域判定手段と、前記変化領域に基づく診断データを抽出する診断データ抽出手段と、前記診断データを出力する出力手段とを備える手相診断装置。
【選択図】図４【図１】
0005837719.tif 000002
【図２】
0005837719.tif 000003
【図３】
0005837719.tif 000004
【図４】
0005837719.tif 000005